(57)【要約】    【課題】ユーザが携帯する携帯通信端末の設定を取得し、その設定に基づいてそのユーザに好適なユーザインターフェースに自機の設定を変更し得る画像形成装置を提供する。    【解決手段】ユーザインターフェースに関連する情報を表示する表示部と、ユーザインターフェースに関連する設定を記憶するＵＩ設定記憶部と、近接場型の無線通信により携帯通信端末と通信することにより通信可能範囲内への前記携帯通信端末の近接を認識する近接通信部と、前記近接通信部を介して前記携帯通信端末のユーザインターフェースに関連する設定を受信する外部設定取得部と、前記携帯通信端末から取得された設定に基づいて前記ＵＩ設定記憶部に記憶された設定を変更するＵＩ設定変更部とを備えることを特徴とする画像形成装置。【選択図】図４
2015079432.tif 000002
【特許請求の範囲】
【請求項１】
ユーザインターフェースに関連する情報を表示する表示部と、
ユーザインターフェースに関連する設定を記憶するＵＩ設定記憶部と、
近接場型の無線通信により携帯通信端末と通信することにより通信可能範囲内への前記携帯通信端末の近接を認識する近接通信部と、
前記近接通信部を介して前記携帯通信端末のユーザインターフェースに関連する設定を受信する外部設定取得部と、
前記携帯通信端末から取得された設定に基づいて前記ＵＩ設定記憶部に記憶された設定を変更するＵＩ設定変更部とを備えることを特徴とする画像形成装置。
【請求項２】
前記ＵＩ設定記憶部は、前記表示部に表示させる言語の種類を記憶し、
前記外部設定取得部は、前記携帯通信端末における言語設定を取得し、
前記ＵＩ設定変更部は、前記表示部に表示させる言語を前記外部設定取得部により取得された言語設定に一致させるべく前記ＵＩ設定記憶部に記憶された言語の種類を変更する請求項１に記載の画像形成装置。
【請求項３】
前記ＵＩ設定記憶部は、前記表示部に表示させる文字の大きさの程度を記憶し、
前記外部設定取得部は、前記携帯通信端末における表示文字の大きさ設定を取得し、
前記ＵＩ設定変更部は、前記外部設定取得部により取得された表示文字の大きさ設定に基づいて前記ＵＩ設定記憶部に記憶された文字の大きさの程度を変更する請求項１または２に記載の画像形成装置。
【請求項４】
ユーザインターフェースに関する音声または通知音を出力する音響出力部をさらに備え、
前記ＵＩ設定記憶部は、前記音響出力部に出力させる音の大きさの段階を記憶し、
前記外部設定取得部は、前記携帯通信端末における出力音の大きさ設定を取得し、
前記ＵＩ設定変更部は、前記外部設定取得部により取得された出力音の大きさ設定に基づいて前記ＵＩ設定記憶部に記憶された音の大きさの段階を変更する請求項１または２に記載の画像形成装置。
【請求項５】
前記音響出力部が音声を出力し、
前記ＵＩ設定記憶部は、前記音響出力部に出力させる音声の言語を記憶し、
前記外部設定取得部は、前記携帯通信端末における言語設定を取得し、
前記ＵＩ設定変更部は、前記外部設定取得部により取得された言語設定に応じて前記ＵＩ設定記憶部に記憶された音声の言語設定を変更する請求項４に記載の画像形成装置。
【請求項６】
前記ＵＩ設定変更部は、前記外部設定取得部により取得された前記携帯通信端末の大きさ設定と予め定められた標準設定とを比較して前記標準設定に対する大小および相違の程度に応じて前記ＵＩ設定記憶部に記憶された設定を変更する請求項３〜５の何れか一つに記載の画像形成装置。
【発明の詳細な説明】
【技術分野】
【０００１】
この発明は、携帯通信端末との間で近接場型の無線通信が可能な画像形成装置に関する。
【背景技術】
【０００２】
近年、個人認証に近接場型の無線通信の技術を用いるものが普及している。具体的には、非接触ＩＣカードを用いた社員証やおサイフケータイ（登録商標）などがある。近接場型の無線通信は、Near Field CommunicationあるいはＮＦＣともいう。ＮＦＣは、通信可能範囲（以下、フィールドともいう）が約１メートル〜数センチメートル程度で、例えばFeliCa（登録商標）やMIFARE（登録商標）などの規格がある。
【０００３】
近年は、多くのスマートフォン、タブレットコンピュータあるいはモバイルコンピュータなどの携帯通信端末が近接場型の無線通信の機能を備えている。そして、携帯通信端末の処理能力が向上している。
【０００４】
このような状況下で、デジタル複合機などの画像形成装置の使用許可にあたり、近距離無線通信機能を搭載した機器が保持している利用者毎の証明書情報に基づいてユーザ認証を行うものが提案されている（例えば、特許文献１参照）。
【先行技術文献】
【特許文献】
【０００５】
【特許文献１】特開２０１１−１５５４９５号公報
【発明の概要】
【発明が解決しようとする課題】
【０００６】
携帯通信端末の処理能力が向上しているにもかかわらず、画像形成装置の操作設定等に関してその処理能力を十分に活用しているとはいえなかった。
例えば、コンビニエンスストア等のパブリックスペースに設置されたデジタル複合機は、不特定多数のユーザによって使用される。その場合、ユーザインターフェースに関する設定は個々のユーザに応じた好適な設定を用いることが好ましい。例えば、画像形成装置の状態や操作方法等をユーザに知らせるため近年の画像形成装置はメッセージを表示する表示部を備えているものが多い。しかし、ユーザは必ずしも日本語が読めるとは限らず、読めたとしても日本語が母国語であるとは限らない。また、ユーザが読みやすい文字の大きさはユーザの年齢層や視力によってまちまちである。
【０００７】
さらに、音声や音を用いてユーザの操作を支援するユーザインターフェースを備えた画像形成装置がある。しかし、好適な音の大きさや音声の言語設定は、ユーザの年齢層、聴力あるいは国籍等によってまちまちである。
【０００８】
画像形成装置は、通常それらの設定を選択、変更あるいは調整するためのユーザインターフェースを備えている。しかし、前述のようなパブリックスペースに設置されたデジタル複合機等で、ユーザがいちいち煩雑な設定変更や調整を行うことは期待できない。
【０００９】
一方、近年はＮＦＣを備えたスマートフォン等の携帯通信端末が普及し、多くのユーザは各人の携帯通信端末を携帯している。それらの携帯通信端末のユーザインターフェースに関する設定を画像形成装置のユーザインターフェース設定として利用することには、一定の合理性があると考えられる。即ち、両者のインターフェイス設定にはある程度の相関性があると考えてもおかしくない。
【００１０】
この発明は、以上のような事情を考慮してなされたものであって、ユーザが携帯する携帯通信端末の設定を取得し、その設定に基づいてそのユーザに好適なユーザインターフェースに自機の設定を変更し得る画像形成装置を提供するものである。
【課題を解決するための手段】
【００１１】
この発明は、ユーザインターフェースに関連する情報を表示する表示部と、ユーザインターフェースに関連する設定を記憶するＵＩ設定記憶部と、近接場型の無線通信により携帯通信端末と通信することにより通信可能範囲内への前記携帯通信端末の近接を認識する近接通信部と、前記近接通信部を介して前記携帯通信端末のユーザインターフェースに関連する設定を受信する外部設定取得部と、前記携帯通信端末から取得された設定に基づいて前記ＵＩ設定記憶部に記憶された設定を変更するＵＩ設定変更部とを備えることを特徴とする画像形成装置を提供する。
【発明の効果】
【００１２】
この発明による画像形成装置は近接通信部を介して前記携帯通信端末のユーザインターフェースに関連する設定を受信する外部設定取得部と、前記携帯通信端末から取得された設定に基づいて前記ＵＩ設定記憶部に記憶された設定を変更するＵＩ設定変更部とを備えるので、ユーザが携帯する携帯通信端末の設定を取得し、その設定に基づいてそのユーザに好適なユーザインターフェースに自機の設定を変更することができる。
【図面の簡単な説明】
【００１３】
【図１】この発明の画像形成装置が携帯通信端末とＮＦＣによる通信を行う様子を示す説明図である。
【図２】図１に示す画像形成装置および携帯通信端末の構成を示すブロック図である。
【図３】この発明の実施形態において表示部に表示される操作画面の一例を示す説明図である。
【図４】この発明の実施形態において携帯通信端末側の設定と画像形成装置側の設定の対応関係の一例を示す説明図である。
【図５】図２の端末制御部および制御部が実行する処理の流れを示すフローチャートである。
【発明を実施するための形態】
【００１４】
以下、図面を用いてこの発明をさらに詳述する。なお、以下の説明は、すべての点で例示であって、この発明を限定するものと解されるべきではない。
【００１５】
図１は、この発明の画像形成装置が携帯通信端末とＮＦＣによる通信を行う様子を示す説明図である。ＮＦＣは通信可能範囲が数センチメートル〜約１メートル程度であるから、画像形成装置１１に設けられた近接通信部を中心とする前記通信可能範囲で携帯通信端末１３が認識されたとき、その携帯通信端末１３は画像形成装置１１を使用するユーザが携帯するものと推定して差し支えないといえる。
【００１６】
図２は、図１に示す画像形成装置１１および携帯通信端末１３の構成を示すブロック図である。図２で、画像形成装置は、近接通信部２１、表示部３３、音響出力部３４、制御部２３、ＵＩ設定記憶部３５および画像形成部３７を備える。
【００１７】
図２で、近接通信部２１は、携帯通信端末１３との間でＮＦＣによる通信を行う。通信可能範囲内に携帯通信端末１３が入った場合に、携帯通信端末１３からの応答を受信し、携帯通信端末１３が通信可能範囲内に入ったことを認識する。この実施形態において画像形成装置１１は、パブリックスペースに設置され不特定多数のユーザが使用する。図１および図２では一台の携帯通信端末１３のみ図示しているが実際には複数のユーザが携帯する複数の携帯通信端末と通信する。
【００１８】
制御部２３は、具体的なハードウェア構成としてはコンピュータを中心としてメモリ、入出力回路および他の周辺回路から構成される。制御部２３に係るコンピュータは、メモリに予め格納された制御プログラムを実行して画像形成装置１１を制御する。制御部２３が担う代表的な機能として外部設定取得部２５、ＵＩ変更部２７、ＵＩ制御部２９および画像形成制御部３１を図示している。ただし、制御部２３は、これらに属さない種々の処理も実行する。
それら代表的機能のうち、外部設定取得部２５は近接通信部を介して携帯通信端末１３のユーザインターフェースに関する設定を取得する。
ＵＩ変更部２７は、外部設定取得部２５が取得した設定に基づいてＵＩ設定記憶部３５に記憶された設定を変更する。
【００１９】
ＵＩ制御部２９は、ユーザインターフェースの制御を行う。具体的には、表示部３３を制御して操作画面を表示させる。また、この実施形態で表示部３３はタッパネルを有しており、そのタッチパネルが検出した前記操作画面に対するユーザの操作を受付けて操作画面を更新すると共に画像形成制御部３１に対して画像形成に関する指示を与える。
【００２０】
画像形成制御部３１は、画像形成部３７の動作を制御する。また、ＵＩ設定記憶部３５にユーザインターフェースに関する設定を格納し、また格納された設定を読み出してユーザインターフェースの制御に用いる。
【００２１】
表示部３３は、画像形成装置１１の状態や設定をユーザに表示する。この実施形態では、タッチパネルを備えてユーザによる操作を受付ける。ハードウェアとしては、例えばタッチパネル付の液晶表示装置が適用される。
【００２２】
音響出力部３４は、ユーザインターフェースの一環として音声によるアナウンスを行ったりタッチパネルを用いた操作に応答して操作音を生成したりしてスピーカから出力するものである。
【００２３】
ＵＩ設定記憶部３５は、制御部２３によって読み書きが制御され、ユーザインターフェースに関する設定を記憶する不揮発性のメモリである。ハードウェアとしては、フラッシュメモリ、ＥＥＰＲＯＭ、バッテリーバックアップされたＲＡＭ、ＨＤＤなどが適用可能である。
【００２４】
画像形成部３７は、コピー、ファックス、写真サービス、プリントサービス、スキャンサービス等のジョブに係る画像形成を行う。大別すると、原稿の読み取りに係るハードウェア資源、シートの印刷に係るハードウェア資源、画像データの処理や読み書きに係るハードウェア資源から構成される。
以上が画像形成装置１１の構成である。続いて、携帯通信端末１３の構成を説明する。
携帯通信端末１３は、端末制御部４３、端末ＵＩ設定記憶部４９、端末側近接通信部５１、端末表示部５３、端末通信部５５および音響入出力部５７を備える。
【００２５】
端末制御部４３は、具体的なハードウェア構成としてはコンピュータを中心としてメモリ、入出力回路および他の周辺回路から構成される。端末制御部４３に係るコンピュータは、メモリに予め格納された制御プログラムを実行して携帯通信端末１３を制御する。端末制御部４３が担う代表的な機能として端末ＵＩ制御部４５および情報処理部４７を図示している。ただし、端末制御部４３は、これらに属さない種々の処理も実行する。
【００２６】
端末ＵＩ制御部４５は、携帯通信端末１３のユーザインターフェースの制御を行う。具体的には、携帯通信端末１３の端末表示部５３を制御して種々の画面を表示させる。また端末表示部５３は図示しないタッパネルを有しており、端末ＵＩ制御部４５はそのタッチパネルが検出したユーザの操作を受付けて操作画面を更新すると共に情報処理部４７にその操作を知らせて必要な情報処理を行わせる。また、端末ＵＩ設定記憶部４９にユーザインターフェースに関する設定を格納し、また格納された設定を読み出してユーザインターフェースの制御に用いる。
【００２７】
情報処理部４７は、携帯通信端末１３にインストールされたアプリを実行したり端末側近接通信部５１や端末通信部５５を介した通信の処理を行ったりする。また、音響入出力部５７を用いた電話の通話処理を行う。
【００２８】
ＵＩ設定記憶部３５は、制御部２３によって読み書きが制御され、ユーザインターフェースに関する設定を記憶する不揮発性のメモリである。ハードウェアとしては、フラッシュメモリ、ＥＥＰＲＯＭ、バッテリーバックアップされたＲＡＭ、ＨＤＤなどが適用可能である。
【００２９】
端末ＵＩ設定記憶部４９は、端末制御部４３によって読み書きが制御され、ユーザインターフェースに関する設定を記憶する不揮発性のメモリである。ハードウェアとしては、フラッシュメモリ、ＥＥＰＲＯＭ、バッテリーバックアップされたＲＡＭなどが適用可能である。
端末側近接通信部５１は、画像形成装置１１の近接通信部２１との間でＮＦＣによる通信を行う。
【００３０】
端末表示部５３は、情報処理部４７が行う種々の情報処理、例えばアプリの実行や通信の状態およびそれらの操作に用いる操作ボタン等を表示する。この実施形態では、タッチパネルを備えてユーザによる操作を受付ける。ハードウェアとしては、例えばタッチパネル付の液晶表示装置が適用される。
端末通信部５５は、Wi-Fi等の無線ＬＡＮ通信やＣＤＭＡあるいはＬＴＥなどの方式による通信を行うインターフェイス回路である。
音響入出力部５７は、携帯通信端末１３を携帯電話として使用する場合のマイクロフォンとスピーカである。
【００３１】
図１から分かるように、ユーザインターフェースに関する構成や機能については、画像形成装置１１と携帯通信端末１３に類似する側面がある。よって、携帯通信端末１３におけるユーザインターフェースに関する設定を参考に画像形成装置１１のユーザインターフェースに関する設定を行いあるいは調整することに合理性があるといえる。
【００３２】
（実施の形態１）
ユーザインターフェースに関する設定の具体的な態様を幾つか挙げて説明する。
第１の例は、言語の選択である。ＵＩ制御部２９が表示部３３に表示させる操作画面は、説明の文字やメッセージが含まれる。それらの文字は言語の設定に応じて各国語が表示される。
【００３３】
図３は、この実施形態において表示部３３に表示される操作画面の一例を示す説明図である。図３の操作画面には、６個の操作ボタンが配置され、各操作ボタンはそれぞれの名称と機能を説明する語が記載されている。例えば、「コピー」の名称が記された操作ボタンは、機能説明として「免許証コピー」、「ポスター作成」、「など」の語が記載されている。また、操作ボタンよりも上方（奥側）には、メッセージを表示する領域がある。図３の例では、「いらっしゃいませ！」および「ご利用になる機能をお選びください」というメッセージが表示されている。
【００３４】
図３は、言語設定が「日本語」の例であるが、画像形成装置１１が海外で設置される場合を想定してそれぞれの国に応じた複数の言語の操作画面が用意されている。例えば、英語、ドイツ語、フランス語、中国語、韓国語などが考えられる。その他、画像形成装置１１の出荷先に応じて種々の国語が用意される。
【００３５】
一方、携帯通信端末１３についても、使用される国の言語を選択できるのが通常である。たとえば、スマートフォン等のオペレーティングシステムとして知られているグーグル社のAndroid（登録商標）やアップル社のiOS（登録商標）は、表示言語を設定により選択および変更できる。
【００３６】
国際交流が頻繁な今日では、例えば日本に設置された画像形成装置１１のユーザが日本人であるとは限らず、パブリックスペースに設置された場合はむしろ日本人のみが使用するケースは希であると考えられる。
一方、携帯通信端末は個人的に使用される機器であるため、それぞれのユーザが最も馴染んだ言語が設定されていると考えられる。
【００３７】
そこで、この実施形態において近接通信部２１が携帯通信端末１３を認識すると、外部設定取得部２５として制御部２３は、近接通信部２１を介して携帯通信端末１３に言語設定のデータを提供するように求める。その求めに携帯通信端末１３の端末制御部４３が応答し、端末ＵＩ設定記憶部４９に記憶された言語設定の内容を送信すると、外部設定取得部２５はその言語設定を取得する。さらに制御部２３は、ＵＩ変更部２７として前記言語設定に対応した言語の操作画面が用意されていれば、その言語の操作画面を表示するように設定を変更する。
【００３８】
即ち、ＵＩ設定記憶部３５に格納された言語設定を読み出して携帯通信端末１３から取得した言語設定と一致しているか否かを調べる。一致している場合は処理を終了するが、不一致の場合は対応する言語の操作画面があるか否かを調べる。対応する言語の操作画面がなければ処理を終了する。一方、対応する言語の操作画面がある場合は、ＵＩ設定記憶部３５に記憶された言語設定を変更すると共に、ＵＩ制御部２９に変更した言語を通知する。
ＵＩ制御部２９は、ＵＩ変更部２７からの通知に応じて操作画面を更新する。
このようにして、表示部３３表示される操作画面の言語は、ユーザが携帯する携帯通信端末１３の言語設定に基づいて変更される。
（実施の形態２）
変形例として、両者の設定に相違があるが、対応する言語がない場合はユーザが言語の選択を行う設定画面を表示部３３に表示させてもよい。用意されている言語のうちそのユーザに馴染みのあるものを選択させるためである。
【００３９】
（実施の形態３）
異なる例は、文字のサイズである。図３の操作画面は、説明やメッセージの文字が含まれる。操作画面は、ボタンの大きさや配置に制約があり、携帯通信端末１３の画面ほど文字の大きさの選択に自由度がないものの、幾種類かの大きさの文字を用意しておくことは可能である。
【００４０】
パブリックスペースに設置される画像形成装置は、少年から高齢者まで種々の年齢層のユーザが使用するため、ユーザの視力に応じた大きさの文字で表示することが好ましい。
一方、携帯通信端末１３についても、画面に表示される文字の大きさを幾つかの段階で選択および変更できるものが多い。携帯通信端末は個人的に使用される機器であるため、それぞれのユーザが最も読みやすい大きさに文字のサイズが設定されていると考えられる。
【００４１】
そこで、この実施形態において近接通信部２１が携帯通信端末１３を認識すると、外部設定取得部２５として制御部２３は、近接通信部２１を介して携帯通信端末１３に文字サイズ設定のデータを提供するように求める。その求めに携帯通信端末１３の端末制御部４３が応答し、端末ＵＩ設定記憶部４９に記憶された文字サイズ設定を送信すると、外部設定取得部２５はその設定データを取得する。
【００４２】
制御部２３は、取得した文字サイズの設定値を標準の設定と比較する。標準設定に対してユーザが設定した文字サイズの大小および標準設定との差異の程度に応じて表示部３３に表示させる文字の大きさを決定しＵＩ設定記憶部３５に記憶されている文字サイズの設定を変更する。
【００４３】
ここで、携帯通信端末１３の表示画面と表示部３３の表示画面の大きさとは同一でないと考えられる。しかし、設計者は、一般的なユーザが選択するであろう文字サイズを中心として設定可能な範囲を用意すると考えられる。
【００４４】
そこで、ＵＩ変更部２７としての制御部２３は、標準の設定あるいは標準と推測される設定と各ユーザにより選択された文字サイズの乖離の程度を調べ、その乖離の程度と相関を持たせるように表示部３３に表示させる文字サイズを決定する。
【００４５】
図４は、この実施形態において携帯通信端末１３側の文字サイズ設定と画像形成装置１１側の文字サイズ設定の対応関係の一例を示す説明図である。図４で左側のバーは、携帯通信端末１３側の文字サイズ設定を示している。携帯通信端末１３では、最小の「１」から最大の「７」までの７段階のうち何れかの文字サイズを選択できる。これに対して図４の右のバーは、画像形成装置１１の文字サイズ設定を示している。画像形成装置１１では、大中小３段階の何れかの文字サイズを選択できる。横方向の鎖線は標準設定と推測する中央値を示している。
【００４６】
図４の例で、ＵＩ変更部２７は両者の対応関係を決定するにあたってまず、両者の中央値を対応させる。即ち、携帯通信端末１３の文字サイズ設定の「４」を画像形成装置１１の文字サイズ設定の「中」に対応させる。「４」の隣の設定値「３」および「５」についても「中」に対応させる。さらに、ＵＩ変更部２７は携帯通信端末１３側の文字サイズ設定「１」および「２」を画像形成装置１１の文字サイズ設定「小」に対応させる。また、携帯通信端末１３側の文字サイズ設定「６」および「７」を画像形成装置１１の文字サイズ設定「大」に対応させる。
【００４７】
このように、両者の段階が異なる場合でも、両者の標準設定あるいは標準と推測される設定値を対応させ、標準設定からの乖離の度合いに応じた対応関係を決定する。
【００４８】
画像形成装置１１からの設定の要求があった場合、携帯通信端末１３は、設定された内容と共に設定がとり得る値あるいは範囲を返すように予め取り決めておく。外部設定取得部２５が携帯通信端末１３にユーザインターフェースに関する設定を送るように要求すると、携帯通信端末１３は端末側近接通信部５１を介してその要求を受信する。要求に応答して端末制御部４３は、端末ＵＩ設定記憶部４９に格納された設定を返す。文字サイズは返される設定に含まれる。詳細には、携帯通信端末１３からは、文字サイズ設定が１〜７の何れかの値をとり得ることと、選択されている設定値が返される。
【００４９】
携帯通信端末１３から設定が返されると、外部設定取得部２５は、携帯通信端末１３と画像形成装置１１の対応関係を決定する。ＵＩ変更部２７は、その対応関係に基づいて画像形成装置１１の設定を決定する。例えば、選択されている設定値として「６」が返された場合、ＵＩ変更部２７は前記対応関係に基づいて画像形成装置１１の文字サイズ設定を「大」にすると決定し、現在の設定と異なる場合は「大」をＵＩ設定記憶部３５に書込む。そして、ＵＩ制御部２９に変更を通知する。ＵＩ制御部２９は、その通知に基づいて表示部３３に表示させる文字サイズを変更する。
【００５０】
（実施の形態４）
実施の形態１〜３では、表示に関するユーザインターフェースの設定例を述べたが、音声あるいは音のユーザインターフェースもある。
実施の形態４では、音声または音の設定値を例に挙げて説明をする。図２の説明で述べたように、画像形成装置１１は、音響出力部３４を備える。これに対応する構成として、携帯通信端末１３は、音響入出力部５７を備える。
【００５１】
音響出力部３４の出力レベルが調整可能であるとき、外部設定取得部２５として制御部２３は、携帯通信端末１３に音響出力レベルの設定を提供するように求める。その求めに携帯通信端末１３の端末制御部４３が応答し、端末ＵＩ設定記憶部４９に記憶された音響出力レベルの設定を送信すると、外部設定取得部２５はその設定データを取得する。
【００５２】
制御部２３は、取得した音響出力レベルの設定値を標準の設定と比較する。標準設定に対してユーザが設定した音響出力レベルの大小および標準設定との差異の程度に応じて音響出力部３４に出力させる音声または音の大きさを決定しＵＩ設定記憶部３５に記憶されている出力レベルの設定を変更する。
携帯通信端末１３と画像形成装置１１の対応関係の決定は、実施の形態３で述べた内容と同様である。
【００５３】
（実施の形態５）
さらに、音響出力部が音声メッセージを出力する場合、携帯通信端末１３から言語設定を取得し、取得した言語設定に基づいて音声メッセージの言語を選択してもよい。
【００５４】
≪フローチャート≫
これまで述べた内容をフローチャートに沿って処理の流れの側面から説明する。
図５は、図２の端末制御部４３および制御部２３が実行する処理の流れを示すフローチャートである。
【００５５】
図５で、ＮＦＣ機能を搭載した携帯通信端末１３が、画像形成装置１１の所定の位置（例えば、表示部３３付近の予め定められた領域）にかざされたら、両者が予め定められた遣り取りを行って相手の存在を認識する（ステップＳ１１）。フローチャートでは携帯通信端末側が主体の処理として示しているが、ステップＳ１１は、携帯通信端末１３側の制御部２３と携帯通信端末１３側の端末制御部４３とが互いに処理を行う。
【００５６】
携帯通信端末１３の存在を認識した制御部２３は、携帯通信端末１３のユーザインターフェースに関する設定を送るように要求し、その要求に応答して端末制御部４３から設定が送られる。外部設定取得部２５としての制御部２３は、携帯通信端末１３から送られた設定を取得する（ステップＳ２１）。なお、フローチャートでは画像形成装置側が主体の処理として示しているが、ステップＳ２１は、携帯通信端末１３側の制御部２３と携帯通信端末１３側の端末制御部４３とが互いに処理を行う。
【００５７】
制御部２３は、取得した設定のうち、まず文字サイズの設定について両者の対応関係を決定する。そして、携帯通信端末１３側の設定に基づいて文字サイズの設定を決定する（ステップＳ２３）。
続いて、前記ステップＳ２１で取得した設定のうち、音響出力レベルの設定について、両者の対応関係を決定し、続いて携帯通信端末１３側の設定に基づいて出力音量の設定を決定する（ステップＳ２５）。
次に、前記ステップＳ２１で取得した設定のうち、言語設定について両者の設定が一致しているか相違するかを調べる。相違する場合でかつ対応する言語が用意されている場合は、画像形成装置１１の言語を携帯通信端末１３にあわせることを決定（ステップＳ２７）。
【００５８】
続いて制御部２３は、前記ステップＳ２３〜Ｓ２７で決定した設定をＵＩ設定記憶部３５に書込み、ＵＩ制御部２９に通知して表示部３３の表示をその設定に沿って変更させる（ステップＳ２９）。そして、処理を終了する。
一方、両者の言語設定が相違する場合でかつ対応する言語が用意されていない場合は、前述のステップＳ２７の処理に変えて、制御部２３は、表示部３３に言語を選択するメニュー画面を表示させてユーザに言語の選択を求める（ステップＳ３１）。そして、ユーザが前記メニュー画面で行った言語の選択を受付ける（ステップＳ３３）。その後、ルーチンは前述のステップＳ２９へ進み、設定を反映する。
【００５９】
以上に述べたように、
（i）この発明による画像形成装置は、ユーザインターフェースに関連する情報を表示する表示部と、ユーザインターフェースに関連する設定を記憶するＵＩ設定記憶部と、近接場型の無線通信により携帯通信端末と通信することにより通信可能範囲内への前記携帯通信端末の近接を認識する近接通信部と、前記近接通信部を介して前記携帯通信端末のユーザインターフェースに関連する設定を受信する外部設定取得部と、前記携帯通信端末から取得された設定に基づいて前記ＵＩ設定記憶部に記憶された設定を変更するＵＩ設定変更部とを備えることを特徴とする。
【００６０】
さらに、この発明の好ましい態様について説明する。
（ii）前記ＵＩ設定記憶部は、前記表示部に表示させる言語の種類を記憶し、前記外部設定取得部は、前記携帯通信端末における言語設定を取得し、前記ＵＩ設定変更部は、前記表示部に表示させる言語を前記外部設定取得部により取得された言語設定に一致させるべく前記ＵＩ設定記憶部に記憶された言語の種類を変更するようにしてもよい。
このようにすれば、ユーザが携帯する携帯通信端末の設定に基づいてそのユーザに好適な言語設定に画像形成装置の表示部における表示を変更することができる。
【００６１】
（iii）前記ＵＩ設定記憶部は、前記表示部に表示させる文字の大きさの程度を記憶し、前記外部設定取得部は、前記携帯通信端末における表示文字の大きさ設定を取得し、前記ＵＩ設定変更部は、前記外部設定取得部により取得された表示文字の大きさ設定に基づいて前記ＵＩ設定記憶部に記憶された文字の大きさの程度を変更するようにしてもよい。
このようにすれば、ユーザが携帯する携帯通信端末の設定に基づいてそのユーザに好適な文字の大きさに画像形成装置の表示部における表示を変更することができる。
【００６２】
（iv）ユーザインターフェースに関する音声または通知音を出力する音響出力部をさらに備え、前記ＵＩ設定記憶部は、前記音響出力部に出力させる音の大きさの段階を記憶し、前記外部設定取得部は、前記携帯通信端末における出力音の大きさ設定を取得し、前記ＵＩ設定変更部は、前記外部設定取得部により取得された出力音の大きさ設定に基づいて前記ＵＩ設定記憶部に記憶された音の大きさの段階を変更するようにしてもよい。
このようにすれば、ユーザが携帯する携帯通信端末の設定に基づいてそのユーザに好適な音の大きさに画像形成装置の音響出力部からの出力レベルを変更することができる。
【００６３】
（v）前記音響出力部が音声を出力し、前記ＵＩ設定記憶部は、前記音響出力部に出力させる音声の言語を記憶し、前記外部設定取得部は、前記携帯通信端末における言語設定を取得し、前記ＵＩ設定変更部は、前記外部設定取得部により取得された言語設定に応じて前記ＵＩ設定記憶部に記憶された音声の言語設定を変更するようにしてもよい。
このようにすれば、ユーザが携帯する携帯通信端末の設定に基づいてそのユーザに好適な言語の音声に変更することができる。
【００６４】
（vi）前記ＵＩ設定変更部は、前記外部設定取得部により取得された前記携帯通信端末の大きさ設定と予め定められた標準設定とを比較して前記標準設定に対する大小および相違の程度に応じて前記ＵＩ設定記憶部に記憶された設定を変更するようにしてもよい。
このようにすれば、携帯通信端末側の設定と画像形成装置側の設定が一対一に対応していない場合でも相関を持たせた設定をすることができる。
この発明の好ましい態様には、上述した複数の態様のうちの何れかを組み合わせたものも含まれる。
【００６５】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００６６】
１１：画像形成装置、    １３：携帯通信端末、    ２１：近接通信部、    ２３：制御部、    ２５：外部設定取得部、    ２７：ＵＩ変更部、    ２９：ＵＩ制御部、    ３１：画像形成制御部、    ３３：表示部、    ３４：音響出力部、    ３５：ＵＩ設定記憶部、    ３７：画像形成部、    ４３：端末制御部、    ４５：端末ＵＩ制御部、    ４７：情報処理部、    ４９：端末ＵＩ設定記憶部、    ５１：端末側近接通信部、    ５３：端末表示部、    ５５：端末通信部、    ５７：音響入出力部
【図１】
2015079432.tif 000003
【図２】
2015079432.tif 000004
【図３】
2015079432.tif 000005
【図４】
2015079432.tif 000006
【図５】
2015079432.tif 000007